(57)【要約】【課題】  表示器から回路基板までの距離が短い表示装置であっても、回路基板への接続が容易であり、組み付け作業性がよい。【解決手段】表示器１０が収納され、ケース６０の背面側に配置される回路基板４０と、を備え、表示器１０は、接続部材１１によって回路基板４０に接続される表示装置であって、ケース６０は、長手方向に開口した開口部６３と、開口部６３に向かって傾斜した傾斜部６５とを有していることによって、接続部材１１が突出部６４によって開口部６３へ誘い込まれるため、開口部６３を通過しやすくなり、表示器１０から回路基板４０までの距離が短い場合であっても、コネクタ４２への接続が容易であり、組み付け作業性がよい表示装置を提供することができる。【選択図】  図２
2015222360.tif 000002
【特許請求の範囲】
【請求項１】
画像を表示する表示器と、前記表示器が収納されるケースと、前記ケースの背面側に配置される回路基板と、前記表示器と前記回路基板とを接続する可撓性を有する接続部材とを備えた表示装置であって、
前記ケースは、前記接続部材が貫通する開口部と、前記開口部に向かって傾斜した傾斜部とを有していることを特徴とする表示装置。
【請求項２】
前記回路基板は、前記開口部に対応した貫通孔を有していることを特徴とする請求項１に記載の表示装置。
【請求項３】
前記開口部の前記表示器に面した側に突出部を設け、前記突出部に前記傾斜部を設けたことを特徴とする請求項１または請求項２に記載の表示装置。
【発明の詳細な説明】
【技術分野】
【０００１】
本発明は、画像を表示する表示器を備えた表示装置に関するものである。
【背景技術】
【０００２】
従来の表示装置として、例えば特許文献１に開示されたものがある。斯かる表示装置は、透明カバープレートと表示器とをＵＶ硬化型接着剤で接着させた構造になっている。これにより、透明カバープレートと空気層との間がＵＶ硬化型接着剤で満たされ、従来存在した空気層との界面での反射が減少して画質が向上する。
【先行技術文献】
【特許文献】
【０００３】
【特許文献１】特開２００９−２５８３３号公報
【発明の概要】
【発明が解決しようとする課題】
【０００４】
このような表示装置は、透明カバープレートと表示器との距離が近くなるのに伴って、表示器と回路基板との距離も近く形成することで表示装置の薄型化を達成できるが、フレキシブルプリント配線板のような可撓性の接続部材を用いる場合、表示器から回路基板までの引き回す距離よりも長すぎる接続部材を用いると、表示装置内部で接続部材が撓む回数が増えてしまうため、接続部材は長すぎないことが望ましい。
【０００５】
また、回路基板の端部に接続部材を引き回し、回路基板の裏面側にあるコネクタに接続するが、接続部材を引き回したい方向に意匠を照明するためのライトボックスなどがある場合は、回路基板に貫通孔を形成して接続部材を貫通させる構造が考えられるが、貫通孔に通し難いなどの問題点が懸念される。そこで本発明は、この問題に鑑みなされたものであり、表示器から回路基板までの距離が短い表示装置であっても、回路基板への接続が容易であり、組付け性がよい表示装置を提供するものである。
【課題を解決するための手段】
【０００６】
本発明は、画像を表示する表示器と、前記表示器が収納されるケースと、前記ケースの背面側に配置される回路基板と、前記表示器と前記回路基板とを接続する可撓性を有する接続部材とを備えた表示装置であって、前記ケースは、前記接続部材が貫通する開口部と、前記開口部に向かって傾斜した傾斜部とを有しているものである。
【０００７】
また、本発明は、前記回路基板は、前記開口部に対応した貫通孔を有しているものである。
【０００８】
また、本発明は、前記開口部の前記表示器に面した側に突出部を設け、前記突出部に前記傾斜部を設けたものである。
【発明の効果】
【０００９】
表示器から回路基板までの距離が短い表示装置であっても、回路基板への接続が容易であり、組み付け作業性がよい表示装置を提供することができる。
【図面の簡単な説明】
【００１０】
【図１】本発明の実施形態を示す正面図。
【図２】同上実施形態を示す断面図。
【図３】同上実施形態を示す要部拡大断面図。
【図４】同上実施形態を示す斜視図。
【図５】同上実施形態を示す斜視図。
【図６】他の実施形態を示す要部拡大断面図。
【発明を実施するための形態】
【００１１】
以下、添付した図面に基づいて、本発明の一実施形態を説明する。
【００１２】
表示装置１は、画像を表示する表示器１０と，カバープレート２０と，筐体３０と，回路基板４０と，発光素子５０と、ケース６０とを備えている。表示器１０は、ＴＦＴ型カラー液晶モジュールやＥＬモジュールなどの液晶表示パネル１０ａからなるものであり、車両速度等の車両情報を表示する。液晶表示パネル１０ａは、ＵＶ硬化型の接着剤である透光性接着剤１５にてオプティカルボンディングされており、カバープレート２０の後面に密着されている。
【００１３】
表示器１０は、回路基板４０と電気的に接続するための接続部材１１を有し、接続部材１１は、可撓性のフレキシブルプリント配線板（ＦＰＣ）などからなる。図５に示すように、接続部材１１は、後述する開口部６３の形状に沿って、長手方向に長く垂直方向に短くなっている。
【００１４】
カバープレート２０は、平板形状の透明な無機ガラスからなるものであり、正面視で矩形になっている。カバープレート２０の後面には黒色印刷層からなる遮光部２１が形成されており、この遮光部２１は、表示器１０の画像を透視可能にする窓部２１ｂと、警告表示部などの窓部２１ｃとを有している。
【００１５】
筐体３０は、硬質樹脂材（ＡＥＳ等）からなるものであり、表示器１０と、回路基板４０と、ケース６０とが収容されるように形成されている。
【００１６】
回路基板４０は、ガラスエポキシ樹脂からなる基材に銅箔からなる配線パターンを形成したものであり、発光素子５０が搭載されている。発光素子５０は、遮光部２１の窓部２１ｃに対応する個所に配置されている。回路基板４０は、後述するケース６０に形成された開口部６３に対応した形状の貫通孔４１を備えている。また、回路基板４０は、ケース６０の背面側に配置され、ケース６０と面していない側にコネクタ４２が実装されている。
【００１７】
ケース６０は、不透明な樹脂（ＰＰ等）からなるものであり、このケース６０の後面側に回路基板４０がビス（図示せず）などによって固定されている。ケース６０は、表示器１０が収容される底部６１ａを有した収容部６１と、発光素子５０に対応する個所に形成された照明室６２を有している。本実施形態では、底部６１ａは、収容部６１の剛性を保つために設けられ、収容部６１の底を塞ぐ形状となっているが、収容部６１の剛性が保たれるのであれば、収容部６１の底の一部を覆う形状であってもよい。
【００１８】
また、ケース６０の底部６１ａは、収容部６１に収容された表示器１０の接続部材１１の近傍に、ケース６０の長手方向に開口した開口部６３と、回路基板４０とは面していない側に開口部６３の周囲を囲うように突出した突出部６４を備え、突出部６４は、開口部６３に向かって傾斜した傾斜部６５を有している。
【００１９】
傾斜部６５は、第１の傾斜部６５ａと第２の傾斜部６５ｂとからなり、第１の傾斜部６５ａと第２の傾斜部６５ｂとが向き合って形成されていることによって、接続部材１１を開口部６３と貫通孔４１に誘い込むことができる。また、傾斜部６５は、どちらか一方のみであってもよく、接続部材１１の開口部６３への誘い込みが良好であるならば、その個数や形態は限定されない。
【００２０】
以上の構成による表示装置の組み付け方法を説明する。透光性接着剤１５によって、カバープレート２０にオプティカルボンディングされた表示器１０を、予めビスなどで回路基板４０が固定されたケース６０の収容部６１内に配置する。この際、表示器１０に配置された接続部材１１を開口部６３と貫通孔４１とに貫通させて、回路基板４０の裏面側へ引き回す。回路基板４０の裏面へ引き回された接続部材１１は、回路基板４０に実装されたコネクタ４２に接続される。
このような組み付け方法は、本実施形態に限らないが、特にオプティカルボンディングを用いて表示器とカバープレートを接着する表示装置に有効である。なお、コネクタ４２の大きさは、接続部材１１との接続が可能であるならば、規定はなく適宜決めることができる。
【００２１】
また、本実施形態では、回路基板４０とケース６０に、それぞれ貫通孔４１と開口部６３とが形成された例を説明したが、例えば図６に示すように、回路基板４０が開口部６３の背面側になく、回路基板４０の端部が存在する場合などは、貫通孔４１を設ける必要はなく、接続部材１１がケース６０の開口部６３によって回路基板４０の裏面に誘い込まれ、実装されたコネクタ４２に接続されるのであれば、貫通孔４１、開口部６３、コネクタ４２の関係はこれに限定したものではない。また、本実施形態では、ケース６０に突出部６４を設けたが、突出部６４を設けずに開口部６３内に傾斜部を設けてもよい。
【００２２】
本実施形態のように、画像を表示する表示器１０と、画像を透視可能である保護パネル部材２０と、表示器１０が収納され、ケース６０の背面側に配置される回路基板４０と、を備え、表示器１０は、接続部材１１によって回路基板４０に接続される表示装置１であって、ケース６０は、長手方向に開口した開口部６３と、開口部６３に向かって傾斜した傾斜部６５とを有していることによって、接続部材１１が突出部６４によって開口部６３へ誘い込まれるため、開口部６３を通過しやすくなり、表示器１０から回路基板４０までの距離が短い場合であっても、コネクタ４２への接続が容易であり、組み付け作業性がよい。
【００２３】
また、本実施形態のように、回路基板４０は、開口部６３に対応した貫通孔４１を有していることによって、回路基板４０の背面側に実装されたコネクタ４２の近傍において、接続部材１１を貫通させることができるので、表示器１０から回路基板４０までの距離が短い場合であっても、コネクタ４２への接続が容易であり、組み付け作業性がよい。
【００２４】
また、本実施形態のように、開口部６３の表示器１０に面した側に突出部６４を設け、突出部６４に傾斜部６５を設けたことによって、更に、接続部材１１を開口部６３へ誘い込みやすくなるため、表示器１０から回路基板４０までの距離が短い場合であっても、コネクタ４２への接続が容易であり、組み付け作業性がよい。
【００２５】
また、ケース６０の長手方向に開口した開口部６３を説明したが、開口部６３が収容部６１の長手方向ではなく、矩形形状の短い一辺に沿った平行な方向に形成してもよい。
【符号の説明】
【００２６】
１０  表示器
１１  接続部材
１５  透光性接着剤
２０  カバープレート（保護パネル部材）
３０  筐体
４０  回路基板
４１  貫通孔
４２  コネクタ
６０  ケース
６３  開口部
６４  突出部
６５  傾斜部
【図１】
2015222360.tif 000003
【図２】
2015222360.tif 000004
【図３】
2015222360.tif 000005
【図４】
2015222360.tif 000006
【図５】
2015222360.tif 000007
【図６】
2015222360.tif 000008